(57)【特許請求の範囲】
【請求項１】
複数の表示部と、
前記表示部の表示を制御する制御部と、を備え、
前記複数の表示部を同一平面を構成するように配列して、前記複数の表示部を１つの表示画面として使用することが可能な電子機器であって、
前記制御部は、
前記複数の表示部を１つの表示画面として使用する際に、画像を表示できない境界領域を間に挟んで隣り合う１組の表示部において、一方の表示部から前記境界領域上にかかる画像データについて、所定の画素数で幅が規定される領域分の画像データを、前記１組の表示部の他方の表示部に重複して表示するオーバーラップ表示機能を実行する際に、前記所定の画素数で幅が規定される領域分の画像データが文字データである場合は、該文字データで重複して表示される文字を、他の文字とは視覚的に識別可能な方法で表示し、当該他の文字とは視覚的に識別可能な方法で表示される文字は、前記境界領域上にかかる文字を含むことを特徴とする、電子機器。
【請求項２】
前記所定の画素数は、
少なくとも、前記境界領域の幅に相当する画素数である、請求項１記載の電子機器。
【請求項３】
前記所定の画素数は、
前記境界領域上にかかる画像データが文字データである場合は、当該文字データの１文字の表示サイズに相当する画素数である、請求項１記載の電子機器。
【請求項４】
前記所定の画素数は、任意の値に設定可能である、請求項１記載の電子機器。
【請求項５】
前記視覚的に識別可能な方法は、
前記文字データで重複して表示される前記文字を、前記他の文字とは異なる文字色若しくは異なる太さで表示する方法、前記文字データで重複して表示される前記文字上を網掛けして表示する方法、および前記文字データで重複して表示される前記文字に下線またはアッパーラインを施して表示する方法の何れかである、請求項１記載の電子機器。
【発明の詳細な説明】
【技術分野】
【０００１】
本発明は、電子機器に関し、特に複数の画像表示部を有した電子機器に関する。
【背景技術】
【０００２】
液晶ディスプレイなどの画像表示装置を縦横に複数配列して大画面を構成する場合、液晶ディスプレイ間に、画像を表示できない境界領域が発生してしまう。このような大画面の全面に画像を表示する場合、単純に画像データをディスプレイごとに分割して表示したのでは、境界領域を間に挟んだ部分では、境界領域の幅の分だけ画像が間延びして見える。
【０００３】
このような状態を回避するため、液晶ディスプレイ間の境界領域の近傍の画像データを削除する補正を行って、画像が間延びするのを抑制する方法が採られている。しかし、このような補正を行うと、重要な画像データが境界領域の近傍にある場合は、一部、または全部が見えなくなるという問題があった。
【０００４】
これを解消するために、例えば特許文献１においては、境界領域に、ドットマトリックスＬＥＤを配置し、境界領域で消えてしまうはずの画像データをＬＥＤにより表示するという構成が開示されている。
【先行技術文献】
【特許文献】
【０００５】
【特許文献１】特開２０００−３２１５９７号公報
【発明の概要】
【発明が解決しようとする課題】
【０００６】
昨今では、携帯ゲーム機などの携帯可能な電子機器においても複数の画像表示部を有した構成が開発されており、複数の画像表示部を同一平面をなすように配置して大画面を構成することが考えられるが、そのような構成においても、上述したような境界領域の近傍で画像が見えなくなるという問題が発生する。しかし、携帯可能な電子機器においては、特許文献１のような構成を採ることは難しく、境界領域近傍において必要な画像が見えない、あるいは見にくいという問題が発生する。
【０００７】
本発明は上記のような問題点を解消するためになされたもので、複数の画像表示部により大画面を構成する電子機器において、画像表示部間の境界領域近傍の画像が見えない、あるいは見にくいという状況を解消した電子機器を提供することを目的とする。
【課題を解決するための手段】
【０００８】
上記課題を解決するため、本発明に係る電子機器は、複数の表示部と、前記表示部の表示を制御する制御部と、を備え、前記複数の表示部を同一平面を構成するように配列して、前記複数の表示部を１つの表示画面として使用することが可能な電子機器であって、前記制御部は、前記複数の表示部を１つの表示画面として使用する際に、画像を表示できない境界領域を間に挟んで隣り合う１組の表示部において、一方の表示部から前記境界領域上にかかる画像データについて、所定の画素数で幅が規定される領域分の画像データを、前記１組の表示部の他方の表示部に重複して表示するオーバーラップ表示機能を実行する際に、前記所定の画素数で幅が規定される領域分の画像データが文字データである場合は、該文字データで重複して表示される文字を、他の文字とは視覚的に識別可能な方法で表示し、当該他の文字とは視覚的に識別可能な方法で表示される文字は、前記境界領域上にかかる文字を含む。
【０００９】
本発明に係る電子機器の一態様は、前記所定の画素数が、少なくとも、前記境界領域の幅に相当する画素数である。
【００１０】
本発明に係る電子機器の一態様は、前記所定の画素数が、前記境界領域上にかかる画像データが文字データである場合は、当該文字データの１文字の表示サイズに相当する画素数である。
【００１１】
本発明に係る電子機器の一態様は、前記所定の画素数が、任意の値に設定可能である。
【００１３】
本発明に係る電子機器の一態様は、前記視覚的に識別可能な方法が、前記文字データで重複して表示される前記文字を、前記他の文字とは異なる文字色若しくは異なる太さで表示する方法、前記文字データで重複して表示される前記文字上を網掛けして表示する方法、および前記文字データで重複して表示される前記文字に下線またはアッパーラインを施して表示する方法の何れかである。
【発明の効果】
【００１４】
本発明に係る電子機器によれば、必要な情報が境界領域に隠れて見えなくなることを抑制でき、また、重複箇所が視覚的に識別可能となり、同じ文章を２度読む可能性を低減できる。
【００１５】
本発明に係る電子機器の一態様によれば、少なくとも、境界領域の幅に相当する画素数で幅が規定される領域分の画像データを、他方の表示部に重複させて表示するので、必要な情報が境界領域に隠れて見えなくなることを抑制できる。
【００１６】
本発明に係る電子機器の一態様によれば、文字データの１文字の表示サイズに相当する画素数で幅が規定される領域分の画像データを、他方の表示部に重複させて表示するので、文字データが境界領域に隠れて見えなくなることを抑制できる。
【００１７】
本発明に係る電子機器の一態様によれば、任意の画素数で幅が規定される領域分の画像データを、他方の表示部に重複させて表示するので、文字情報の多い画像だけでなく、種々の画像に対応することが可能となる。
【図面の簡単な説明】
【００１９】
【図１】タイルドディスプレイを説明する図である。
【図２】マルチディスプレイを説明する図である。
【図３】本発明に係る実施の形態の携帯無線端末の閉じた状態の外観を示す斜視図である。
【図４】本発明に係る実施の形態の携帯無線端末の閉じた状態の外観を示す斜視図である。
【図５】本発明に係る実施の形態の携帯無線端末の開いた状態の外観を示す斜視図である。
【図６】本発明に係る実施の形態の携帯無線端末の開いた状態の外観を示す斜視図である。
【図７】本発明に係る実施の形態の携帯無線端末の電気的な構成を示す図である。
【図８】本発明に係る実施の形態の携帯無線端末におけるマルチモードでの表示を示す図である。
【図９】本発明に係る実施の形態の携帯無線端末におけるタイルドモードでの表示を示す図である。
【図１０】本発明に係る実施の形態の携帯無線端末におけるタイルドモードからの切り替えをスイッチにより行う場合の図である。
【図１１】本発明に係る実施の形態の携帯無線端末におけるオーバーラップモードでの表示を示す図である。
【図１２】本発明に係る実施の形態の携帯無線端末におけるタイルドモードからの切り替えを表示画面により行う場合の図である。
【図１３】アプリケーションとの対応付け方法を説明する図である。
【図１４】重複箇所を視覚的に識別可能な方法で表示する例を示す図である。
【図１５】重複箇所を視覚的に識別可能な方法で表示する例を示す図である。
【図１６】重複箇所を視覚的に識別可能な方法で表示する例を示す図である。
【図１７】重複箇所を視覚的に識別可能な方法で表示する例を示す図である。
【発明を実施するための形態】
【００２０】
＜タイルドディスプレイおよびマルチディスプレイ＞
発明の実施の形態の説明に先立って、タイルドディスプレイおよびマルチディスプレイの定義について説明する。
【００２１】
図１は、複数の画像表示装置を縦横に配列して大画面を構成する、いわゆるタイルドディスプレイを示しており、特許文献１に開示されたような構成がこれに該当する。
【００２２】
図１に示すように、タイルドディスプレイＴＤは、複数の画像表示装置ＳＭを縦横に配列して構成されており、画面全面には画像ＯＢが表示されている。画像ＯＢは、画像表示装置ＳＭ間の境界領域ＢＲを跨ぐように表示されているが、画像表示装置ＳＭ間の境界領域ＢＲの近傍の画像データを補正して、画像が間延びするのを抑制しているので、画像ＯＢは間延びしていない。
【００２３】
図２は、１つの画像表示部ＤＰにおいて複数の画面を表示する、いわゆるマルチディスプレイを示している。
【００２４】
図２に示すように、マルチディスプレイＭＤは、１つの画像表示部ＤＰに複数の画面を表示する関係上、画面間の境界領域ＢＲにおいて、画像が見えない状態となることがある。しかし、画面をスクロールするなどの操作により、見えなかった部分を見えるように表示することが可能なので、見えない部分は、見えないままに表示され、また、境界領域ＢＲ近傍の画像データを削除して画像が間延びするのを抑制するという処理も行われない。
【００２５】
本願では、タイルドディスプレイおよびマルチディスプレイを以上のように定義して発明の説明を行う。
【００２６】
＜実施の形態＞
以下、本発明に係る実施の形態として、本発明を２面の画像表示部を有する開閉式の携帯無線端末に適用した例について説明する。なお、本発明の適用はこれに限定されるものではなく、２面以上の画像表示部を有し、複数の画像表示部によって大画面を構成する携帯無線端末であれば適用可能であるし、また、ポータブルゲーム機、ＰＤＡ（Personal Digital Assistant）などの電子機器にも適用可能である。
【００２７】
＜外観構成＞
図３および図４は、本発明を適用した携帯無線端末１００の外観形状を示す図であり、図３は、携帯無線端末１００を閉じた状態で第１筐体１０側から見た場合の図であり、図４は、携帯無線端末１００を閉じた状態で第２筐体２０側から見た場合の図である。
【００２８】
ここで、閉じた状態とは、図３および図４に示すように、第１表示部１１が露出した状態で、第１筐体１０と第２筐体２０とが互いに重なるように配置された状態である。この場合、第１筐体１０の第１表示部１１と、第２筐体２０の第２表示部１２（図５）とは、間を開けて重なり合った状態となるので、両者のなす角度は０度と言うことができる。
【００２９】
また、図５および図６は、携帯無線端末１００を開いた状態で第１表示部１１および第２表示部１２側から見た場合の図であり、図５は、第１表示部１１および第２表示部１２が同一平面を構成するように開いた状態を示し、図６は、第１表示部１１および第２表示部１２が、１８０度よりも小さい角度をなすように所定の角度で開いた状態を示している。
【００３０】
ここで、所定の角度で開いた状態とは、図５および図６に示すように、第１筐体１０の第１表示部１１と、第２筐体２０の第２表示部１２とが、０度よりも大きい角度をなすように第１筐体１０と第２筐体２０とが配置された状態を指し、図５および図６に示す状態に移行する途中の状態も開いた状態と言う。
【００３１】
図３〜図６に示されるように、第１筐体１０と第２筐体２０とは、ヒンジ部４およびアーム部５を介して連結されており、第２筐体２０側に設けられたヒンジ部４は、アーム部５を第２筐体２０に対して、角度変更可能に連結しており、アーム部５に第１筐体１０が角度変更可能に連結している。これにより、図１に示されるように、第１筐体１０が第１表示部１１を露出させた状態で第２筐体２０上に位置する状態から、図３に示されるように、第１筐体１０の第１表示部１１と、第２筐体２０の第２表示部１２とが同一平面を構成するように、第１筐体１０を移動させることが可能となる。
【００３２】
ここで、ヒンジ部４およびアーム部５の構成について説明する。図５に示すように、第２筐体２０は、その外面がフロントケース２１およびリアケース２２を組み合わせて構成されている。第２側筐体２０は、フロントケース２１側に、第２表示部１２を有するとともに、図４に示すように、ヒンジ部４と、ヒンジ部４を回転軸方向両側から把持する第１把持部４ａおよび第２把持部４ｂを有している。この、第１把持部４ａおよび第２把持部４ｂの回転軸方向外側には、それぞれ第１アーム５ａおよび第２アーム５ｂがヒンジ部４の回転軸に同軸をなすように係合している。なお、第１アーム５ａおよび第２アーム５ｂは図示されないビーム（梁）と一体をなし、第１アーム５ａ、第２アーム５ｂおよびビームを含んでアーム部５が構成されている。
【００３３】
ここで、第１筐体１０は、第１表示部１１を有するフロントケース１（図３）と、第１表示部１１が設けられた面とは反対の面（これを裏面と呼称する）を有するリアケース（図視せず）とを組み合わせて構成されており、図視されないビームは、第１筐体１０のリアケース側において、第１筐体１０の長手方向に延在するように設けられている。
【００３４】
第１アーム５ａおよび第２アーム５ｂの、第１把持部４ａおよび第２把持部４ｂとの係合部とは反対側の部分は、第１筐体１０の裏面において第１筐体１０と係合するが、当該係合部分は第１筐体１０を回動可能に構成されることで、第１筐体１０が角度変更可能となっている。
【００３５】
なお、第１筐体１０には、音声入力部としてのマイク１９や音声出力部としてのスピーカ１８が格納されており、マイク１９およびスピーカ１８は、第１表示部１１が露出する面の長手方向の両端部近傍に設けられている。
【００３６】
また、第１表示部１１および第２表示部１２は、それぞれタッチパネル機能を有しており、その機能は携帯無線端末１００内部の電気的な構成によって実現される。
【００３７】
＜電気的構成＞
図７は携帯無線端末１００の電気的な構成を示すブロック図である。図７に示されるように、携帯無線端末１００は、第１表示部１１、第２表示部１２、音声出力部（スピーカ）１８、音声入力部（マイク）１９、制御部１３０、無線通信部１３１、第１タッチパネル１２３および第２タッチパネル１２４を備えている。なお、制御部１３０および無線通信部１３１は、例えば第２筐体２０内に収められている。
【００３８】
制御部１３０は、ＣＰＵ１３０ａおよび記憶部１３０ｂ等を備えており、携帯無線端末１００の他の構成要素を制御することによって、携帯無線端末１００の動作を統括的に管理する。記憶部１３０ｂは、ＲＯＭおよびＲＡＭ等で構成されている。制御部１３０の各種機能は、ＣＰＵ１３０ａが記憶部１３０ｂ内の各種プログラムを実行することによって実現される。
【００３９】
無線通信部１３１は、携帯無線端末１００とは別の携帯無線端末や、インターネットに接続されたＷｅｂサーバ等の通信装置からの無線信号をアンテナ１３１ａで受信し、受信信号に対して増幅処理やダウンコンバートを行って制御部１３０に出力する。また無線通信部１３１は、制御部１３０で生成された送信信号に対してアップコンバートや増幅処理を行って、処理後の送信信号をアンテナ１３１ａを通じて、携帯無線端末１００とは別の携帯無線端末や、インターネットに接続された通信装置に対して無線送信する。
【００４０】
音声入力部１９は、外部から入力される音声を音声データに変換して制御部１３０に出力する。音声出力部１８は、制御部１３０からの音声データを音声に変換して外部に出力する。
【００４１】
第１表示部１１および第２表示部１２は、制御部１３０によって制御されることによって、文字、記号、図形などの各種情報を表示する。
【００４２】
また、第１タッチパネル１２３および第２タッチパネル１２４は、それぞれ第１表示部１１および第２表示部１２と、その周囲におけるタッチパネル機能を実現するための構成を表している。第１表示部１１とその周囲には、第１タッチパネル１２３を有しており、第１タッチパネル１２３によるタッチパネル機能を介して、ユーザの指等の指示体による操作を検出して制御部１３０に出力する。第２表示部１２とその周囲には、第２タッチパネル１２４を有しており、第２タッチパネル１２４によるタッチパネル機能を介して、ユーザの指等の指示体による操作を検出して制御部１３０に出力する。
【００４３】
また、制御部１３０には、後に説明する表示方式選択スイッチ１２５が接続され、表示方式選択スイッチ１２５の操作により表示方式が選択されると、ＣＰＵ１３０ａが、記憶部１３０ｂ内の複数の表示方式のプログラムの中から、選択された表示方式に対応するプログラムを実行し、その表示方式に従って、第１表示部１１および第２表示部１２に表示を行う。
【００４４】
なお、これも後に説明するが、表示方式選択スイッチ１２５のような機械的なスイッチではなく、第１タッチパネル１２３および第２タッチパネル１２４を介して表示方式を選択する方法を採用する場合には、タッチパネル機能を介して制御部１３０に指示が与えられ、ＣＰＵ１３０ａが、記憶部１３０ｂ内の複数の表示方式のプログラムの中から、選択された表示方式に対応するプログラムを実行し、その表示方式に従って、第１表示部１１および第２表示部１２に表示を行う。
【００４５】
ここで、携帯無線端末１００においては表示方式として、先に定義したタイルドディスプレイとしての表示を行うタイルドモード、マルチディスプレイとしての表示を行うマルチモードおよび新たに開発したオーバーラップ表示を行うオーバーラップモードの３種類の表示方式（表示機能）を有し、これらの中から何れかを選択を行う。
【００４６】
＜マルチモードでの表示例＞
次に、図８を用いて、携帯無線端末１００の第１表示部１１および第２表示部１２を用いて、マルチモードでの表示を行う例について説明する。
【００４７】
図８は、図７を用いて説明したＣＰＵ１３０ａが、記憶部１３０ｂ内のマルチディスプレイのプログラムを実行することで、第１表示部１１および第２表示部１２上に画像を表示した状態を示している。なお、この状態は携帯無線端末１００を第１表示部１１および第２表示部１２が同一平面を構成するように開いた状態で、第１筐体１０および第２筐体２０の長辺が水平となり、第２表示部１２が設けられた第２筐体２０が下側、第１表示部１１が設けられた第１筐体１０が上側となるように使用している。
【００４８】
なお、第１表示部１１のマイク１９が設けられた側の短辺の外側には、第１タッチパネル１２３により実現される複数のキーが表示される構成となっている。図８の例では、１つ前の画面に戻るバックキー１１１、各画面に対応したオプションメニューを表示させるメニューキー１１２およびホーム画面に戻るホームキー１１３を表示している。これらのキーは、第２表示部１２においてもバックキー１２１、メニューキー１２２およびホームキー１２３として第２タッチパネル１２４により実現される。なお、バックキー１１１、メニューキー１１２およびホームキー１１３は、携帯無線端末１００を閉じた状態で使用する場合に機能し、バックキー１２１、メニューキー１２２およびホームキー１２３は、携帯無線端末１００を開いた状態で使用する場合に機能するように構成されている。
【００４９】
図８において、第１表示部１１および第２表示部１２には連続した地域の地図画像が表示されているが、第１表示部１１の下側の長辺と第２表示部１２の上側の長辺との間には、第１筐体１０および第２筐体２０の額縁の存在により画像を表示できない境界領域ＢＲが存在している。このような状態でマルチモードでの表示を行うと、先に説明したように、見えない部分は、見えないままに表示され、また、単純に画像データを表示部ごとに分割して表示しているので、境界領域ＢＲの幅の分だけ画像が間延びして見えている。しかし、図８に示すような地図では、画像が多少間延びして見えても地図としての情報を得ることはできるので、マルチモードを使用しても問題はない。
【００５０】
＜タイルドモードでの表示例＞
次に、図９を用いて、携帯無線端末１００の第１表示部１１および第２表示部１２を用いて、タイルドモードでの表示を行う例について説明する。なお、携帯無線端末１００の使用形態は、図８に示したマルチモードの場合と同じである。
【００５１】
図９において、第１表示部１１および第２表示部１２には連続した説明文の文字画像が表示されているが、先に説明したように、タイルドモードでは、境界領域ＢＲ近傍の画像データを補正して、画像が間延びするのを抑制するので、第１表示部１１の境界領域ＢＲ近傍の文字列ＣＨは補正により削除され、下半分が見えなくなっている。なお、文字の大きさおよび位置によって見えなくなる部分は変わり、境界領域ＢＲを跨ぐほどの大きさの文字であれば、文字の上部と文字の下部しか見えなくなり、文字の大きさが、境界領域ＢＲの幅以下で、文字の配列が境界領域ＢＲ近傍に位置すれは、その配列全てが見えなくなる可能性がある。
【００５２】
このように、文字列を含んだ画像においてタイルドモードを使用すると、場合によっては、文字を読み取ることができないという状態が生じる可能性がある。
【００５３】
一方、図８を用いて説明したマルチモードを文字列を含んだ画像に使用すると、図８の境界領域ＢＲを跨いで表示される文字のように、文字が間延びして見え、読みづらいという状態が生じる可能性がある。
【００５４】
＜オーバーラップモードでの表示例＞
次に、図１０〜図１２を用いて、携帯無線端末１００の第１表示部１１および第２表示部１２を用いて、オーバーラップモードでの表示を行う例について説明する。なお、携帯無線端末１００の使用形態は、図８に示したマルチモードの場合と同じである。
【００５５】
図１０は、マルチモード、タイルドモードおよびオーバーラップモードの３種類の表示方式から、何れかを選択するための表示方式選択手段として、表示方式選択スイッチ１２５を備える場合の構成を示している。
【００５６】
表示方式選択スイッチ１２５は、例えば、第２側筐体２０の一方の短辺側の側面に、押しボタンスイッチとして設けられており、これを押すことで、表示方式を切り替える構成となっている。
【００５７】
例えば、図１０に示す表示方式は、図９と同じタイルドモードであるが、このモードでは、第１表示部１１の境界領域ＢＲ近傍の文字列ＣＨは、補正により削除されて下半分が見えなくなっている。そこで、表示方式選択スイッチ１２５を押すことでオーバーラップモードでの表示に変わる。
【００５８】
図１１は、オーバーラップモードでの表示を示している。図１１に示すように、オーバーラップモードにおいては、第１表示部１１の境界領域ＢＲ近傍の文字列ＣＨは、境界領域ＢＲ近傍の部分が補正により削除されて下半分が見えなくなっているが、第２表示部１２の境界領域ＢＲ近傍に、文字列ＣＨを完全に表示した文字列ＣＨ１が表示されている。従って、図９に示したタイルドモードでは読めなかった文字列ＣＨを、文字列ＣＨ１として読むことができる。
【００５９】
このように、オーバーラップモードは、境界領域ＢＲを間に挟んで隣り合う一組の表示部において、境界領域ＢＲ上にかかる画像データが存在する場合、当該画像データについて、少なくとも、境界領域ＢＲの幅（表示部と表示部との間の長さ）に相当する画素数で規定される領域分の画像データを、一方の表示部に重複させて表示するので、境界領域ＢＲの存在により必要な情報が見えなくなることを抑制できる。図１１の場合は、１文字の表示サイズよりも境界領域ＢＲの幅の方が広く、文字列ＣＨの全範囲の画像データが、第２表示部１２に表示されることとなる。
【００６０】
なお、境界領域ＢＲ上にかかる画像データが文字データである場合は、当該文字データの１文字の表示サイズが例えば１６ドットであれば、それに相当する画素数で規定される領域分の画像データを他方の表示部に重複させて表示する。なお、重複させる幅については、固定値ではなく任意の値に設定可能とすれば、文字情報の多い画像だけでなく、種々の画像に対応することが可能となる。
【００６１】
このような表示は、図７を用いて説明した制御部１３０における画像処理で実現され、タイルドモードで使用される境界領域ＢＲの画像データの補正技術に基づいて、境界領域ＢＲにかかる画像データを検出し、予め定めた所定の画素数で幅（境界領域ＢＲの幅方向と同じ方向の長さ）が規定される領域分の画像データを他方の表示部に重複させて表示させることが可能となる。
【００６２】
なお、表示方式選択スイッチ１２５は、押すことで表示モードを順番に変えるような押しボタンスイッチとしても良く、スライドスイッチなどで構成しても良く、スイッチの種類に限定はない。
【００６３】
ここで、表示方式選択手段としては、図１０に示した、表示方式選択スイッチ１２５のような機械的なスイッチに限定されるものではなく、第１表示部１１および第２表示部１２に付加されたタッチパネルの機能により表示方式を選択する手段を採用しても良い。
【００６４】
図１２に示す表示方式は、図９と同じタイルドモードであるが、このモードでは、第１表示部１１の境界領域ＢＲ近傍の文字列ＣＨは、境界領域ＢＲにかかる部分が補正により削除されて下半分が見えなくなっている。そこで、機能選択キー（図示せず）などにより第１表示部１１および第２表示部１２の何れかに表示方式選択ウインドウ７０を表示させ、表示方式選択ウインドウ７０において、オーバーラップモードを選択することで、オーバーラップモードでの表示に変える。
【００６５】
すなわち、図１２に示すように、表示方式選択ウインドウ７０は、マルチモードを選択する項目７１（1.Multi）、タイルドモードを選択する項目７２（2.Tile）およびオーバーラップモードを選択する項目７３（3.Overlap）を有しており、項目７３に手指等でタッチすることで、図１１に示したようなオーバーラップモードでの表示に変えることができる。
【００６６】
このように、３種類の表示方式を準備し、容易に切り替えることができる構成とすることで、ファイルのリストから画像ファイルを選んで表示する際に、画像に応じて即座に最適な表示方式に切り替えることが可能となる。
【００６７】
例えば、列車の時刻表をカメラ機能を用いて撮影した画像を表示させる場合、タイルドモードでは、ある時間帯を表示した部分が境界領域ＢＲにかかって見えなくなる可能性があるので、そのような画像を表示する場合には、オーバーラップモードを選択するなどの使い方が可能となる。
【００６８】
なお、第１表示部１１および第２表示部１２がタッチパネル機能を有さない場合であっても、表示方式選択ウインドウ７０を表示させて、それを選択キー（図示せず）などで選択する構成を採っても良い。
【００６９】
＜搭載したアプリケーションとの対応付け＞
また、携帯無線端末１００には、静止画撮影機能（カメラ機能）や、動画撮影機能（ムービー機能）などの画像に関する種々のアプリケーションを有しているが、各アプリケーションに対して、３つの表示方式の何れを使用するかを対応付けておけば、アプリケーションを実行する際には、対応付けられた表示方式が自動的に選択されることとなり、表示方式の選択作業が不要となる。
【００７０】
例えば、通常はマルチモードとなるようにデフォルトで設定しておき、カメラ機能のアプリケーションであれば、タイルドモードを対応付けておくことで、カメラの起動とともに画面がタイルドモードとなり、カメラ機能のアプリケーションを終了すればマルチモードに戻ることとなる。
【００７１】
以下、図１３を用いて、アプリケーションとの対応付け方法の一例を示す。図１３の（Ａ）部には、機能選択キー（図示せず）などにより第１表示部１１および第２表示部１２の何れかに表示された、表示方式設定ウインドウ８０を示している。表示方式設定ウインドウ８０内には、タイルドモードを設定する項目８１（Tile）およびオーバーラップモードを選択する項目８２（Overlap）を有している。
【００７２】
ここで、タイルドモードを選択すると、図１３の（Ｂ）部に示すように、タイルドモードに対応付けられたアプリケーションの名称が表示されたアプリケーション表示ウインドウ９０が表示される。アプリケーション表示ウインドウ９０内には、保存された画像などを見るビュワー機能のアプリケーションの名称９１（Viewer）およびムービー機能のアプリケーションの名称９２（Movie Player）が示されており、タイルドモードにはビュワーおよびムービー機能のアプリケーションが対応付けられていることが判る。
【００７３】
ここで、カメラ機能のアプリケーションも対応付けたい場合は、図１３の（Ｃ）部に示すように、携帯無線端末１００が有しているアプリケーションの一覧を表示するアプリケーション選択ウインドウ１００を開き、そこで、カメラ機能の項目１０１（Camera）を選択する。この場合、アプリケーション選択ウインドウ１００とアプリケーション表示ウインドウ９０とを同時に開いておいて、カメラ機能の項目１０１をドラッグしてアプリケーション表示ウインドウ９０上に移動させることで選択する構成としても良い。
【００７４】
このようにしてカメラ機能を新たにタイルドモードに対応付けることで、図１３の（Ｄ）部に示すように、アプリケーション表示ウインドウ９０には、カメラ機能のアプリケーションの名称９３（Camera）が表示されることとなる。
【００７５】
＜変形例＞
図１１を用いて説明した、オーバーラップモードでの表示例では、第１表示部１１の境界領域ＢＲ近傍の文字列ＣＨは、境界領域ＢＲ近傍の部分が補正により削除されて下半分が見えなくなっているが、第２表示部１２の境界領域ＢＲ近傍に、文字列ＣＨを完全に表示した文字列ＣＨ１が表示される例を示した。
【００７６】
この表示方法によれば、部分的にしか読めない文字列ＣＨを、文字列ＣＨ１として読むことができるが、重複箇所が判らない状態で読むと、重複した文章を２度読む可能性があり、読む人間が混乱を来す可能性がある。図１１のように、文字が大きく、字間も広いような文章であれば混乱は少ないが、ブラウジングなどにおいて、細かい文字で字間を詰めて表示された文章では、重複していることが判らず、同じ文章を２度読む可能性が高い。
【００７７】
そこで、オーバーラップモードにおいては、重複箇所を視覚的に識別可能な方法で表示することで、読む人間が混乱することを抑制する構成を採用する。以下、重複箇所の表示例について図１４〜図１７を用いて説明する。
【００７８】
図１４は、重複して表示される文字列ＣＨ１の文字色を他の文字列とは異なる文字色に変更して表示する例を示している。このような表示を行うことで、重複箇所が視覚的に識別可能となり、同じ文章を２度読む可能性を低減できる。
【００７９】
図１５は、重複して表示される文字列ＣＨ１の文字の太さを他の文字列よりも太くして表示する例を示している。このような表示を行うことで、重複箇所が視覚的に識別可能となり、同じ文章を２度読む可能性を低減できる。なお、文字の太さを変更する以外に、フォントを変更する構成としても良い。
【００８０】
図１６は、重複して表示される文字列ＣＨ１に網掛け処理を施して表示する例を示している。すなわち、文字列ＣＨ１上を覆うように網掛け領域ＭＳを設けることで重複箇所が視覚的に識別可能となり、同じ文章を２度読む可能性を低減できる。
【００８１】
図１７は、重複して表示される文字列ＣＨ１に下線ＵＬを施して表示する例を示している。このような表示を行うことで、重複箇所が視覚的に識別可能となり、同じ文章を２度読む可能性を低減できる。なお、下線の変わりにアッパーラインを施しても良い。
【００８２】
なお、重複箇所を視覚的に表示できるのであれば、上述した方法以外の方法であっても良いことは言うまでもない。
【００８３】
また、重複箇所を視覚的に識別可能に表示するのは、図７を用いて説明した制御部１３０における画像処理で実現されるが、当該処理は周知の技術により実現可能であるので、説明は省略する。
【００８４】
＜付記＞
（１）前記制御部は、前記複数の表示部を１つの表示部として使用する際に、前記境界領域上にかかる画像データは表示しないマルチディスプレイ表示機能と、前記境界領域に
隣接する領域の画像データを削除して、前記境界領域を間に挟んで隣り合う前記１組の表示部において画像が間延びして表示されるのを抑制するタイルドディスプレイ表示機能と、をさらに有し、前記オーバーラップ表示機能、前記マルチディスプレイ表示機能および前記タイルドディスプレイ表示機能を選択的に切り替える表示方式選択手段を備えている。
【００８５】
（２）前記表示方式選択手段が、切り替えスイッチにより実現される。
【００８６】
（３）前記表示方式選択手段が、前記複数の表示部の何れかに表示された表示方式選択画面により実現される。
【００８７】
（４）前記制御部は、前記複数のアプリケーションのうち、前記オーバーラップ表示機能、前記マルチディスプレイ表示機能および前記タイルドディスプレイ表示機能の何れを使用するかの対応付けがなされたアプリケーションが選択された場合には、それに対応付けられた何れかの表示機能を自動的に選択する。
【符号の説明】
【００８８】
１１  第１表示部
１２  第２表示部
１３０  制御部
ＢＲ  境界領域
【図１】
0005965506.tif 000002
【図２】
0005965506.tif 000003
【図３】
0005965506.tif 000004
【図４】
0005965506.tif 000005
【図５】
0005965506.tif 000006
【図６】
0005965506.tif 000007
【図７】
0005965506.tif 000008
【図９】
0005965506.tif 000009
【図１０】
0005965506.tif 000010
【図１１】
0005965506.tif 000011
【図１２】
0005965506.tif 000012
【図１３】
0005965506.tif 000013
【図１４】
0005965506.tif 000014
【図１５】
0005965506.tif 000015
【図１６】
0005965506.tif 000016
【図１７】
0005965506.tif 000017
【図８】
0005965506.tif 000018